(57)【要約】【課題】釣糸挿通操作性に優れ、かつ竿管の保護を兼ね備えた係止具を有する中通し式釣竿を提供する。【解決手段】本発明の中通し式釣竿は、トップガイド１０を装着した穂先竿管１を穂持竿管２内に振り出し式に収納可能に構成され、穂持竿管２の先端よりも穂先竿管１を突出した状態で穂先竿管１を保持可能な係止具１２を備えている。この係止具１２は、トップガイド１０の最大外径よりも小径のストッパ部１４と、少なくとも穂持竿管１の先端部に外嵌する圧入部１５とを有することを特徴とする。【選択図】図２
2007195484.tif 000002
【特許請求の範囲】
【請求項１】
トップガイドを装着した穂先竿管を穂持竿管内に振り出し式に収納可能な中通し式釣竿であって、前記穂持竿管先端よりも前記穂先竿管を突出した状態で前記穂先竿管を保持可能な係止具を備え、
前記係止具は、前記トップガイドの最大外径よりも小径のストッパ部と、少なくとも前記穂持竿管先端部に外嵌する圧入部とを有することを特徴とする中通し式釣竿。
【請求項２】
前記係止具の最大外径は、元竿管の先端の外径よりも大きいことを特徴とする請求項１に記載の中通し式釣竿。
【請求項３】
前記係止具は、元竿管の先端を覆う保護部を有することを特徴とする請求項１又は２に記載の中通し式釣竿。
【請求項４】
前記ストッパ部は、前記穂先竿管の外周に摺接することを特徴とする請求項１乃至３のいずれか１項に記載の中通し式釣竿。
【請求項５】
前記係止具には、長手方向に切り欠いた切溝が形成されていることを特徴とする請求項１乃至４のいずれか１項に記載の中通し式釣竿。
【請求項６】
前記ストッパ部前方には、ストッパ部内径よりも、内径が大きいトップガイド収容部が設けられていることを特徴とする請求項１乃至５のいずれか１項に記載の中通し式釣竿。
【請求項７】
前記トップガイド収容部先端に、トップガイド最大外径よりも小径の抜け止め部を設けたことを特徴とする請求項６に記載の中通し式釣竿。
【発明の詳細な説明】
【技術分野】
【０００１】
本発明は、中通し式の釣竿に関する。
【背景技術】
【０００２】
従来、魚釣りに用いられる釣竿の一つとして中通し式の釣竿が知られている。この中通し式釣竿は、使用に際して糸絡みが少ないという特徴があり、元竿管側にリールから繰り出された釣糸を竿管内に導入する釣糸導入部が、また、穂先竿管の先端部に釣糸を導出するトップガイドが装着された構成となっている。
【０００３】
上記した中通し式釣竿には、例えば、特許文献１に開示されているように、元竿管内に中竿管及び穂先竿管を収納した振り出し式に構成されたものがある。この特許文献１に開示されている中通し式釣竿は、穂先竿管（１番節）、３本の中竿管（２番節；穂持竿管、３番節、４番節）及び元竿管（５番節）を備えた５本継ぎに構成されており、係止具によって穂先竿管を保持できるよう構成されている。すなわち、前記係止具は、穂先竿管の先端部の外周に取着されており、穂持竿管及び３番節の先端縁を当て付けると共に、４番節の先端内周に嵌合して、穂先竿管を突出した状態で保持するよう構成されている。
【０００４】
また、例えば、特許文献２には、円錐台形状の係止具を装着した振り出し式の中通し式釣竿が開示されている。前記係止具は、伸縮性を有する材料からなり、小径部の外径は穂持竿管の先端内径よりも小さく、大径部の外径は穂持竿管の先端内径よりも大きく形成されて、大径部を先側にして穂先竿管に着脱できるよう構成されている。このため、穂先竿管は、元竿管に収納した際、係止具によって、穂持竿管の先端部に保持されるようになっている。
【特許文献１】特開２００２−３６０１２９号
【特許文献２】特許第３６１８２３９号
【発明の開示】
【発明が解決しようとする課題】
【０００５】
上記したような中通し式釣竿は、魚釣用リールからの釣糸を、釣糸導入部を介してトップガイドに導出させなければならない。このため、使用に際しては、最初に、治具であるワイヤをトップガイド側から導入し、これを釣糸導入部から導出させた後、ワイヤに釣糸を結び、この状態でワイヤをトップガイド側から引き出す操作（釣糸挿通操作）が行われる。通常、このような釣糸挿通操作は、容易に行なえることが望ましく、また、この操作において、竿管に傷が付いたり破損することがないように構成されていることが望ましい。
【０００６】
上記した特許文献１に開示されている中通し式釣竿は、釣糸挿通操作時に、係止具によって穂先竿管が突出した状態で保持されるため、釣糸挿通操作は行い易いものの、４番節や元竿管が露出した状態になるため、各竿管が元竿管に収納された状態で、転倒したり他物に当たった場合等、竿管全体（特に先部）を保護することができない。
【０００７】
また、上記した特許文献２に開示されている中通し式釣竿は、釣糸挿通操作時に穂先竿管が保持されて穂先竿管は保護されるものの、穂先竿管を突出した状態で保持する構成でないことから、釣糸挿通操作が行い難いと共に、穂先竿管以外の竿管を十分に保護することができない。
【０００８】
本発明は、上記した問題に基づいてなされたものであり、釣糸挿通操作性に優れ、かつ竿管の保護を兼ね備えた係止具を有する中通し式釣竿を提供することを目的とする。
【課題を解決するための手段】
【０００９】
上記した目的を達成するために、本発明に係る中通し式釣竿は、トップガイドを装着した穂先竿管を穂持竿管内に振り出し式に収納可能に構成され、前記穂持竿管先端よりも前記穂先竿管を突出した状態で前記穂先竿管を保持可能な係止具を備えており、前記係止具は、前記トップガイドの最大外径よりも小径のストッパ部と、少なくとも前記穂持竿管先端部に外嵌する圧入部とを有することを特徴とする。
【００１０】
上記した構成の中通し式釣竿では、係止具は、穂持竿管先端部に外嵌されており、この状態で穂先竿管は、トップガイドの最大外径よりも小径のストッパ部によって竿管内に落下することなく穂持竿管から突出した状態で保持されている。このため、釣糸挿通操作が行い易く、かつ係止具は穂持竿管先端部に外嵌されることから、穂先竿管及び穂持竿管が保護される。
【発明の効果】
【００１１】
本発明によれば、穂先竿管を保護する係止具によって、釣糸挿通操作性に優れ、かつ竿管が保護される中通し式釣竿が得られる。
【発明を実施するための最良の形態】
【００１２】
以下、本発明に係る中通し釣竿の実施形態について説明する。  
図１乃至図５は、本発明の第１の実施形態を示す図であり、図１は、中通し式釣竿（以下、釣竿と称する）の全体構成を示す図、図２は、図１に示す釣竿の節構成を示す図、図３は、竿管収納時における内部構成を示す断面図、図４は、釣竿先端に装着された係止具部分の断面図、そして、図５は、係止具の構成を示す断面図である。
【００１３】
本実施形態の釣竿Ｒは、先端から順に、穂先竿管１、穂持竿管２（中竿管）、元竿管３の３本の竿管を備えており、これらの各竿管は振り出し式に構成されている。
【００１４】
各竿管は、例えば、強化繊維に合成樹脂を含浸させたプリプレグシートを管状にする公知の手法によって管状に形成されている。そして、前記元竿管３の基端部には、下栓５が着脱可能となるように螺着され、前記穂持竿管２の基端部には、釣糸挿通孔７ａが形成された中下栓７が着脱可能となるように螺着されている。また、穂先竿管１の基端部には、釣糸が挿通されるリング部材８が固着されている。
【００１５】
前記穂持竿管２は、図３に示すように、元竿管３内に収納した際（中下栓７を下栓５の当付部５ａに当て付けた際）、その先端が元竿管３の先端から突出する程度に形成されており、これにより、釣糸挿通操作時において、穂持竿管２を摘んで引き出し操作が容易に行なえるようになっている。この場合、下栓５及び／又は中下栓７に、穂持竿管２の基端側を元竿管３に対して摺動固定できるような保持手段を設けておくことで、穂持竿管２のガタ付きや元竿管３からの飛び出しを抑えることができ、後述する係止具を上栓として機能させることが可能となる。また、本実施形態では、前記穂先竿管１は、穂持竿管２の半分程度の長さに形成されている。
【００１６】
前記元竿管３の基端側には、魚釣用リールが装着されるリールシート８が設けられており、先端側には、魚釣用リールから繰り出される釣糸を釣竿内に導入する釣糸導入部９が設けられている。前記釣糸導入部９は、例えば、図３に示すような釣糸が挿通されるガイドリング９ｂが設けられたブリッジ状の釣糸導入ガイド９ａと、元竿管３の外周面に形成された釣糸導入開口３ａとを備えており、魚釣用リールから繰り出される釣糸は、ガイドリング９ｂ及び釣糸導入開口３ａを介して釣竿内に導入される。
【００１７】
また、前記穂先竿管１の先端部分には、魚釣用リールから繰り出され、釣竿内に導入された釣糸を導出するトップガイド１０が設けられている。このトップガイド１０は、例えば、穂先竿管１の先端に外嵌される円筒状のガイド本体１０ａと、このガイド本体１０ａの先端側内周面に取着されたガイドリング１０ｂとを備えている。
【００１８】
前記釣竿の先端部には、穂先竿管１を穂持竿管２から突出した状態で保持する係止具１２が装着されている。係止具１２の本体１２Ａは、弾性変形可能な材料、例えば、ゴム、エラストマー、ＥＶＡ等によって、穂先竿管１の先端領域を収容できるように略円筒形状に形成されている。具体的に係止具１２の本体１２Ａは、トップガイド１０を突出させた状態で穂先竿管１の先端領域の外周を囲繞するように、軸方向に径の異なる貫通孔１３を備えている。そして、その貫通孔１３の内面には、前記トップガイド１０の最大外径ｄより小径（ｄ１）のストッパ部１４が形成されている（ｄ＞ｄ１）。すなわち、ストッパ部１４よりも先端側の貫通孔１３によって規定される部分（ここでは、トップガイド収容部１３ａと称する）にトップガイド１０が収容され、この状態でトップガイド１０の後端の段差がストッパ部１４に当たり、穂先竿管１が元竿管側に落ち込まないようになっている。
【００１９】
前記トップガイド収容部１３ａは、トップガイド１０の先端部を係止具１２から突出させた状態で、トップガイド１０の外周面と摺接（本実施形態では、面同士による圧接）するように構成されている。すなわち、ストッパ部１４の前方には、ストッパ部１４の内径よりも、内径が大きくトップガイド１０の外周に圧接可能な内周面を有するトップガイド収容部１３ａが設けられており、これにより、穂先竿管１をより確実に係止することができると共に、トップガイド１０が固定されて釣糸挿通操作が容易に行なえるようになっている。また、このようなトップガイド収容部１３ａを設けることによって、トップガイド１０の部分を効果的に保護することが可能となる。
【００２０】
なお、前記ストッパ部１４は、トップガイド１０の段部が係合して穂先竿管１の落ち込みが防止できるように構成されていれば良い。例えば、穂先竿管１の外周面と面接触したり、点接触する構成（摺接する構成）であっても良いし、多少の隙間が生じる構成であっても良い。この場合、穂先竿管１の外周面と面接触や点接触する（摺接する）ように構成しておくことで、穂先竿管１を位置決めした状態でガタ付きを確実に防止することができると共に、ストッパ部１４から穂先部分が容易に飛び出ないようにすることができる。また、ストッパ部１４の両端部１４ａ，１４ｂに面取り（テーパ）を形成することで、係止具１２を前後方向に挿脱し易いように構成することが可能である。
【００２１】
また、前記係止具１２の本体１２Ａには、穂持竿管２の先端部に外嵌するように圧入部１５が形成されている。この圧入部１５は、ストッパ部１４よりも後端側の貫通孔１３によって規定されている。なお、圧入部１５の開口縁には、穂持竿管２の先端部が容易に圧入できるようにテーパ１５ａを形成しておくことが好ましい。
【００２２】
前記圧入部１５は、その端面１５ｂに元竿管３の先端縁が当接できる程度の肉厚を有していることが好ましい。このように構成することで、元竿管３の先端が係止具１２によって保護されるため、例えば、補強部品（口金等）を設けなくても、割れや欠け等を防止することが可能となる。
【００２３】
上記した構成の係止具１２の本体１２Ａは弾性変形可能であることから、切溝等を形成することなく（図６（ａ）参照）、穂先竿管１に対して軸方向から挿入することで着脱することが可能である。或いは、図６（ｂ）に示すように、本体１２Ａに、長手方向に切り欠いた切溝１７を形成しておくことが好ましく、これにより、穂先竿管１に対する着脱を容易に行なうことが可能となる。
【００２４】
また、上記した係止具１２は、図４に示すように、その最大外径Ｄが、元竿管３の先端の外径Ｄ１よりも大きくなるように形成されていることが好ましい。このような構成により、例えば、釣竿が倒れたような場合であっても、地面等、他物に接触する部分を係止具１２とすることが可能となって、元竿管３を保護することが可能となる。
【００２５】
上記した係止具１２を装着した釣竿において、釣糸挿通操作を行なう場合、まず、ワイヤをトップガイド１０側から挿入する。この場合、トップガイド１０は、係止具１２から突出しており、かつ穂先竿管１は、ストッパ部１４及びトップガイド収容部１３ａによって圧接保持されているため、穂先竿管が軸方向や径方向に移動することなく、ワイヤの挿入操作が容易に行なえるようになる。
【００２６】
そして、ワイヤを挿入した後、穂持竿管２を前方に引き出して、更に、ワイヤを釣糸導入部９の部分まで挿入する。このとき、係止具１２を摘むことで容易に穂持竿管２を引き出すことができると共に、穂持竿管２の先端を係止具１２が抑えるようになるため、手が滑り難く、確実に穂持竿管２を伸ばすことが可能になる。そして、その後、ワイヤを釣糸導入部９から取り出し、その端部に釣糸を結び付け、ワイヤをトップガイド側から引き出し操作することで、釣糸の挿通操作が完了する。すなわち、魚釣用リールから繰り出される釣糸は、釣糸導入部９を介して釣竿内に導入され、かつトップガイド１０から導出される。
【００２７】
上記したような係止具１２を設けたことにより、釣糸挿通操作時に穂先竿管１を確実に保持することができ、釣糸挿通操作が行い易くなると共に、穂先竿管１及びトップガイド１０を確実に保護することができ、さらには、穂持竿管２及び元竿管３も保護することができる。また、上記した穂持竿管２の基端部を元竿管３に保持できるように構成することで、係止具１２をトップカバーとしての機能を持たせることも可能となる。
【００２８】
図７及び図８は、本発明の第２の実施形態を示す図であり、図７は、釣竿先端に装着される係止具部分を示す断面図、図８は、係止具の構成を示す断面図である。なお、以下の実施形態では、釣竿の全体構成は、上記した第１の実施形態と同一であるため、詳細な説明については省略する。また、以下に説明する係止具では、上記した実施形態と異なる部分について詳細に説明し、上記した第１の実施形態と同一である部分については、同一の参照符号を付し、その詳細な説明については省略する。
【００２９】
本実施形態では、上記した係止具１２の本体１２Ａに、元竿管３の先端を覆う保護部２０を形成している。このような保護部２０は、例えば、第１実施形態の本体１２Ａを、軸方向及び径方向に拡大し、かつ元竿管３の先端外周が嵌入できるような収容部２１を形成することで構成することが可能である。すなわち、係止具１２を釣竿先端に装着した際、保護部２０は、元竿管３の先端外周に密着した状態で外嵌されるようになる。
【００３０】
このような構成によれば、上記した第１実施形態で得られる効果に加え、釣竿の全竿管の先端部を覆うことになるため、上栓としての機能が得られ、元竿管、穂持竿管、穂先竿管を同時に保護できると共に、別途、トップカバーを装着する必要もない。なお、収容部２１の端縁にテーパ２１ａを形成しておくことにより、係止具１２を元竿管に差込み易くすることができる。
【００３１】
図９及び図１０は、本発明の第３の実施形態を示す図であり、図９は、釣竿先端に装着される係止具部分を示す断面図、図１０は、係止具の構成を示す断面図である。
【００３２】
本実施形態では、上記した第１の実施形態における本体１２Ａのストッパ部１４より先端側に設けられるトップガイド収容部１３ａを、トップガイド１０の外周面と面接触（圧接）することなく、隙間が生じるように形成している。すなわち、ストッパ部１４の前方に設けられるトップガイド収容部１３ａの内径は、ストッパ部１４の内径、及びトップガイド１０の外径よりも大きく形成されている。
【００３３】
このような構成においても、ストッパ部１４が穂先竿管１の外周面に圧接するため、穂先竿管のガタ付きが抑えられると共に、穂先竿管の落ち込みを防止することができる。また、穂先竿管１に対する保持力が全面で圧接する第１の実施形態と比較して小さいため、係止具１２の着脱操作が行い易くなると共に、穂先竿管に不必要に負荷を加えることもない。このように、トップガイド収容部１３ａの内径を調整することで、穂先竿管１の保持力を調整することが可能となる。
【００３４】
また、本実施形態では、本体１２Ａの先端領域に膨出部１２Ｂを形成している。この膨出部１２Ｂは、例えば、図に示すように、本体１２Ａの外周面を、先端に移行するに従って次第に拡径させることで形成することが可能である。
【００３５】
このような膨出部１２Ｂを形成することにより、釣竿が倒れた場合等、係止具の膨出部１２Ｂが地面等に当たり易くなって、より確実に各竿管を保護することができると共に、釣糸挿通操作時において、係止具１２が摘み易くなり、穂持竿管２を容易に引き出すことが可能になる。もちろん、膨出部１２Ｂの形状や、形成位置については、適宜変形することが可能である。
【００３６】
図１１及び図１２は、本発明の第４の実施形態を示す図であり、図１１は、釣竿先端に装着される係止具部分を示す断面図、図１２は、係止具の構成を示す断面図である。
【００３７】
本実施形態では、前記第３の実施形態におけるトップガイド収容部１３ａを軸方向に拡大して、トップガイド１０を突出させること無く、完全にトップガイド収容部１３ａ内に収容できるように構成したものである。
【００３８】
このような構成によれば、トップガイド１０及び穂先竿管１を、より確実に保護することができると共に、釣糸挿通操作時において、係止具１２がより摘み易くなり、穂持竿管２を容易に引き出すことが可能になる。
【００３９】
なお、上記した第４の実施形態において、トップガイド収容部１３ａの先端内側に、トップガイド１０の最大外径よりも小径となる抜け止め部１３ｂを形成しておくことが好ましい（図１３、図１４参照）。すなわち、抜け止め部１３ｂの開口径ｄ３を、トップガイド１０の最大外径よりも小径にすることで、穂先竿管１が不用意に係止具１２から飛び出すことを確実に防止することができる。このような抜け止め部１３ｂは、トップガイド収容部１３ａの開口縁部に、フランジ状の突部を形成したものであっても良いし、周方向に沿って複数の突起状の突部を形成したものであっても良い。
【００４０】
以上、本発明の実施形態について説明したが、本発明は、上記した実施形態の形状に限定されることはなく、種々変形することが可能である。
【００４１】
上記した各実施形態における特徴部分については、適宜、組み合わせて実施することが可能である。例えば、第３実施形態や第４実施形態において、本体１２Ａに元竿管３に外嵌される保護部２０を形成しても良いし、第１実施形態や第２実施形態において、本体１２Ａに膨出部１２Ｂを形成しても良い。
【００４２】
また、本発明における釣竿は、３本以外の節構成であっても良いし、釣糸導入部やトップガイドの構成等、適宜変形することが可能である。
【図面の簡単な説明】
【００４３】
【図１】本発明に係る中通し式釣竿の全体構成を示す図。
【図２】図１に示す釣竿の節構成を示す図。
【図３】竿管収納時における内部構成を示す断面図。
【図４】釣竿先端に装着される係止具部分の断面図。
【図５】係止具の構成を示す断面図。
【図６】（ａ）は、図４のＡ−Ａ線に沿った断面図、（ｂ）は、図４のＡ−Ａ線に沿った断面図であって、変形例を示す図。
【図７】本発明の第２の実施形態を示す図であり、釣竿先端に装着される係止具部分の断面図。
【図８】係止具の構成を示す断面図。
【図９】本発明の第３の実施形態を示す図であり、釣竿先端に装着される係止具部分を示す断面図。
【図１０】係止具の構成を示す断面図。
【図１１】本発明の第４の実施形態を示す図であり、釣竿先端に装着される係止具部分を示す断面図。
【図１２】係止具の構成を示す断面図。
【図１３】第４実施形態の変形例を示す図であり、釣竿先端に装着される係止具部分を示す断面図。
【図１４】係止具の構成を示す断面図。
【符号の説明】
【００４４】
１  穂先竿管
２  穂持竿管
３  元竿管
９  釣糸導入部
１０  トップガイド
１２  係止具
１２Ａ  本体
１３ａ  トップガイド収容部
１４  ストッパ部
１５  圧入部
２０  保護部
Ｒ  中通し式釣竿
【図１】
2007195484.tif 000003
【図２】
2007195484.tif 000004
【図３】
2007195484.tif 000005
【図４】
2007195484.tif 000006
【図５】
2007195484.tif 000007
【図６】
2007195484.tif 000008
【図７】
2007195484.tif 000009
【図８】
2007195484.tif 000010
【図９】
2007195484.tif 000011
【図１０】
2007195484.tif 000012
【図１１】
2007195484.tif 000013
【図１２】
2007195484.tif 000014
【図１３】
2007195484.tif 000015
【図１４】
2007195484.tif 000016